【事件の表示】
　特願２０００−３９１１９７「インクジェットプリンタ」拒絶査定不服審判事件〔平成１４年　７月１０日出願公開、特開２００２−１９２７９７〕について、次のとおり審決する。
【結　論】
　本件審判の請求は、成り立たない。
【理　由】
１．手続の経緯
　本願は、平成１２年１２月２２日の出願であって、平成１６年８月３１日付で拒絶査定がなされ、これに対して、同年９月３０日に拒絶査定に対する審判請求がなされるとともに、同年１０月２８日付で手続補正（平成１４年改正前特許法第１７条の２第１項第３号の規定に基づく手続補正であり、以下、「本件補正」という。）がなされたものである。
　
２．本件補正についての補正却下の決定
［補正却下の決定の結論］
　本件補正を却下する。
［理由］
（１）補正後の本願発明
　本件補正により、補正前の特許請求の範囲の請求項１の記載は、
「画像情報を記録用紙に印字する印字手段、記録用紙を印字手段に供給するための給紙手段、印字された記録用紙を排出する排紙手段を有するインクジェットプリンタにおいて、
　印字手段が、インクヘッドと、このインクヘッドにインクを供給するインクタンクと、このインクタンク及びインクヘッドを保持し、インクヘッドを走査させるインクキャリッジと、このインクキャリッジの走査移動をガイドするガイド部と、インクキャリッジに設けられ、記録用紙上を走行するコロ部とからなり、
　このコロ部が、記録用紙の搬送方向の前でかつインクヘッドの走査方向の前後と、搬送方向の後でかつインクヘッドの走査方向の前後とにそれぞれ配置されたコロ部材であるインクジェットプリンタ。」から
「画像情報を記録用紙に印字する印字手段、記録用紙を印字手段に供給するための給紙手段、印字された記録用紙を排出する排紙手段を有するインクジェットプリンタにおいて、
　印字手段が、インクヘッドと、このインクヘッドにインクを供給するインクタンクと、このインクタンク及びインクヘッドを保持し、インクヘッドを走査させるインクキャリッジと、このインクキャリッジの走査移動をガイドするガイド部と、インクキャリッジに設けられ、記録用紙上を走行するコロ部とからなり、
　このコロ部が、
記録用紙の搬送方向に関しインクヘッドの前で
記録用紙の搬送方向に関しインクヘッドの後で
と補正された。
　上記補正事項は、請求項１に記載した発明を特定するために必要な事項である「コロ部」の、コロ部材の記録用紙の搬送方向に関しインクヘッドに対する配置位置を限定するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　　　
（２）引用例
　原査定の拒絶の理由に引用された特開平４−２１９２４４号公報（以下、「引用例」という。）には、図面とともに、以下の事項が記載されている。
ア．「本発明は、上記目的を達成するために、インク液滴を吐出して記録を行うインジェット記録装置に於いて、記録ヘッドの印字方向に被記録媒体と対向して相対的に回転可能な拍車部材を具備し、前記拍車部材は、記録媒体面に記録ヘッドの近傍で記録ヘッドとともに移動しながら直接記録媒体に当接し、記録媒体がコックリングにより浮き上がろうとするのを押し下げるようにしたものである。好ましくは、その拍車部材の周面の形状は平面に当接して相対運動したときには当接点が連続的に記録媒体に当接する形状であり、さらにこの周面の形状が、周面より０．１ｍｍ内径側での回転軸方向の幅が０．７ｍｍ以下であるインクの非転写性を持ったローラ状のものを挙げることができる。これにより拍車部材による印字汚れ無しに記録媒体をプラテン側に押しつける事を可能とした。本発明の代表的な発明は、インク液滴を吐出して記録を行うインジェット記録装置に於いて、記録ヘッドの印字方向に被記録媒体と直接当接し、かつ対向して相対的に回転可能な記録媒体の拍車部材を具備したことを特徴とする記録装置であり、更に別の発明は、インク液滴を吐出して記録を行うインジェット記録装置に於いて、記録ヘッドの印字方向に被記録媒体と通常非接触で、記録ヘッドと被記録媒体との相対移動方向に対して回転可能に支持された拍車部材を具備したことを特徴とする記録装置である。」（段落【００２５】〜【００２６】）
　イ．「別の発明は、記録ヘッドと記録媒体との間隙を維持するためのスペーサローラに本発明の拍車を適用して、従来では記録直後の記録媒体に直咳く（審決注「直接」の誤記と認める。）接触させて配置するとローラ自体に汚れが発生したり画像を乱すことがあったがこれを解決して確実な間隙を形成できる装置を提供するものである。これは記録媒体の厚さが種々変動しても記録間隙における微少な変化にも追従できるので、記録画像を従来より高画質にできる利点がある。・・・図８はインクジェット方式の記録装置の説明図である。記録ヘッドカートリッジ１００１、キャリッジガイド１００３は前述の他の実施例と同様であるがキャリッジ１００２は記録間隙を一定にならしめる拍車１０１１とともにキャリッジガイド１００３に対して変位可能である。本実施例ではキャリッジガイド１００３に対して垂直方向の長穴１０２２、１０２３を有し、記録媒体Ｐの厚み変化があっても記録間隙は一定となるようにキャリッジを変位可能にしてある。拍車はキャリッジのスキャン（副走査）方向に回転可能にキャリッジ１００２に固定されており、記録ヘッド１００１に近接配置されている。本例はヘッド１００１の両側に拍車１０１１を設けて入るが一方のみでも良い。・・・１０２１は一部切り欠きのある給紙ローラ対であり１００８と１０２５は記録面側ローラ１００８が拍車となっている拍車排紙ローラ対である。」（段落【００５８】〜【００６０】参照。）
　ウ．図８（発明の詳細な説明の記載に対応させるには、図の符号は全て１０００がプラスされるべきであるのにプラスされていない誤りをおかしている。したがって、審決で符号を引用するときはその符号に１０００をプラスする。）から、拍車１０１１が記録媒体Ｐの搬送方向に関しヘッドの前と後にそれぞれ配置されたスキャン方向に走行する回転部材であることが看取できる。
　これらの記載を含む引用例には、
  「画像情報を記録媒体Ｐに印字する印字手段、記録媒体Ｐを印字手段に供給するための給紙手段、印字された記録媒体Ｐを排出する排紙手段を有するインクジェット記録装置において、
　印字手段が、記録ヘッドカートリッジ１００１と、この記録ヘッドカートリッジ１００１を保持し、記録ヘッドカートリッジ１００１を走査させるキャリッジ１００２と、このキャリッジ１００２の走査移動をガイドするキャリッジガイド１００３と、キャリッジ１００２に設けられ、記録媒体Ｐ上を走行する拍車１０１１とからなり、
　この拍車１０１１が、記録媒体Ｐの搬送方向に関しヘッド１００１の前と後にそれぞれ配置されたスキャン方向に走行する回転部材であるインクジェット記録装置。」（以下、「引用発明」という。）
が開示されていると認めることができる。
　　
（３）対比・判断
　そこで、本願補正発明と引用発明とを比較する。
　ア．引用発明の「記録媒体Ｐ」、「キャリッジ１００２」、「キャリッジガイド１００３」及び「インクジェット記録装置」は、それぞれ、本願補正発明の「記録用紙」、「インクキャリッジ」、「ガイド部」及び「インクジェットプリンタ」に相当している。
　イ．引用発明の「記録ヘッドカートリッジ１００１」あるいは「ヘッド１００１」は、インクヘッドということができる。
　ウ．引用発明の「記録媒体Ｐの搬送方向に関しヘッド１００１の前と後にそれぞれ配置されたスキャン方向に走行する回転部材である拍車１０１１」は、記録用紙上を走行するコロ部ということができ、また、その回転部材をコロ部材ということができる。
　エ．引用発明の「スキャン方向」は、ヘッド１００１（インクヘッド）の走査方向ということができる。
　以上のことから、両者の一致点と相違点はそれぞれ以下のとおりである。
　［一致点］
　「画像情報を記録用紙に印字する印字手段、記録用紙を印字手段に供給するための給紙手段、印字された記録用紙を排出する排紙手段を有するインクジェットプリンタにおいて、
　印字手段が、インクヘッドと、インクヘッドを保持し、インクヘッドを走査させるインクキャリッジと、このインクキャリッジの走査移動をガイドするガイド部と、インクキャリッジに設けられ、記録用紙上を走行するコロ部とからなり、
　このコロ部が、記録用紙の搬送方向に関しインクヘッドの前及び後とにそれぞれ配置されたコロ部材であるインクジェットプリンタ。」
　［相違点］
　Ａ．本願補正発明では、印字手段が、インクヘッドにインクを供給するインクタンクをその構成の一部とすると共にインクキャリッジがこのインクタンク及びインクヘッドを保持するのに対して、引用発明ではこれらの点が定かでない点、
　Ｂ．本願補正発明では、「コロ部が、記録用紙の搬送方向に関しインクヘッドの前でかつインクヘッドの走査方向の前後と、記録用紙の搬送方向に関しインクヘッドの後でかつインクヘッドの走査方向の前後とにそれぞれ配置されたコロ部材である」であるのに対して、引用発明では、コロ部が、インクヘッドの走査方向に関してどのように配置されたコロ部材であるか定かでない点。
　［相違点の検討］
　相違点Ａについて、
　インクジェットプリンタにおいて、印字手段が、インクヘッドにインクを供給するインクタンクをその構成の一部とすると共にインクキャリッジがこのインクタンク及びインクヘッドを保持するようになすことは、例えば、特開平１０−２５００５７号公報にみられるように周知であるから、引用発明において、キャリッジ１００２（インクキャリッジ）が保持する記録ヘッドカートリッジ１００１が、インクヘッドとインクタンクを備えるようにすることすなわち相違点Ａに係る構成を具備することは、当業者が容易に想起できることであり、その作用効果も格別なものでない。
　相違点Ｂについて、
　インクジェットプリンタにおいて、記録用紙の厚み変化があっても記録間隙が一定となるようにキャリッジを変位可能にするために、コロ部が、記録用紙上を走査方向に走行する、インクヘッドの走査方向の前後に配置された（一対の）コロ部材であるようにすることは、例えば、上記特開平１０−２５００５７号公報（図１、２のローラ１２を参照）、特開平７−２３７３９８号公報（図１、２のコロ１２を参照）及び特開平３−１２８２６８号公報（図１〜３のコロ６ｂを参照）にみられるように周知であるから、これを、同じく、記録用紙の厚み変化があっても記録間隙が一定となるようにキャリッジを変位可能にするために、コロ部が記録用紙上を走査方向に走行するように配置されたコロ部材とした引用発明に適用することは当業者が容易に想起できることである。
　上記適用に当たって、その適用対象を、引用発明の、記録用紙の搬送方向に関しインクヘッドの前及び後とにそれぞれ配置されたコロ部の両者とすること、すなわち、相違点Ｂのように、「コロ部が、記録用紙の搬送方向に関しインクヘッドの前でかつインクヘッドの走査方向の前後と、記録用紙の搬送方向に関しインクヘッドの後でかつインクヘッドの走査方向の前後とにそれぞれ配置されたコロ部材である」ように構成することも、当業者が記録用紙の搬送時の浮き上がり性等を勘案して必要に応じて適宜なす範囲のことであるといえる。
　というのは、適正な印字を行うために、面状のインクヘッドの走査領域の全体に亘って、インクヘッドと記録用紙との間隔が一定であるべきであることは当然の課題であって、そのためには、記録用紙の搬送方向に関しインクヘッドの前及び後のコロ部のいずれか一方に適用することすなわち記録用紙のインクヘッドの走査領域その外側の一辺が一対のコロ部材で押圧される場合よりも、両者に適用するすなわち記録用紙のインクヘッドの走査領域を挟む二辺のそれぞれが一対のコロ部材で押圧される場合の方が記録用紙の浮き上がりを防止する性能が増大し、インクヘッドと記録用紙との間隔が一定となることの確実性が高いことが当業者にとって明らかであるからである。
　したがって、本願補正発明は、引用発明及び周知技術に基づいて、当業者が容易に発明をすることができたものであるから、特許法第２９条第２項の規定により特許出願の際独立して特許を受けることができない。
　
（４）むすび
　以上のとおり、本件補正は、特許法第１７条の２第５項で準用する同法第１２６条第５項の規定に違反するものであり、特許法第１５９条第１項において読み替えて準用する特許法第５３条第１項の規定により却下されるべきものである。
　
３．本願発明について
　本件補正は上記のとおり却下されたので、本願の請求項１に係る発明（以下、「本願発明」という。）は、上記補正前の特許請求の範囲の請求項１に記載された事項により特定されるとおりのものと認める（上記２．（１）参照）。
（１）引用例
　原査定の拒絶の理由に引用された引用例、及び、その記載事項は、上記「２．（２）」に記載したとおりである。
　　
（２）対比・判断
　本願発明は、本願補正発明の特定事項から、「コロ部」のコロ部材の配置位置に関する上記限定事項を省いたものである。
　そうすると、本願発明の特定事項の全部をその特定事項とし、さらに、他の特定事項をその特定事項としたものに相当する本願補正発明が、上記「２．（３）」に記載したとおり、引用発明及び周知技術から、当業者が容易に発明をすることができたものであるから、本願発明も、同様な理由により、引用発明及び周知技術に基づいて当業者が容易に発明をすることができたものである。
　　
（３）むすび
　以上のとおり、本願発明は、引用発明及び周知技術に基づいて、当業者が容易に発明をすることができたものであるから、特許法第２９条第２項の規定により特許を受けることができない。
　　　
４．結び
　以上のとおりであるから、本件補正は却下されなければならず、本願発明が特許を受けることができないから、本願のその余の請求項に係る発明について検討するまでもなく、本願は拒絶を免れない。 
　よって、結論のとおり審決する。